(57)【要約】      （修正有）【課題】アンテナの誘電性嵌め込み部材に対する簡単かつ汎用的な固定手段を提供する。【解決手段】誘電性嵌め込み部材を解離可能に固定する固定装置がアンテナ内に設けられている。アンテナとして金属アンテナが用いられる。また、種々の形状のアンテナに適用可能であるが、有利な実施形態によれば、アンテナとしてホーンアンテナが設けられる。誘電性嵌め込み部材はアンテナの内室を部分的に充填するものであってよい。ただし、有利には誘電性嵌め込み部材はアンテナの内室を完全に充填する。【選択図】図１
2008211791.tif 000002
【特許請求の範囲】
【請求項１】
誘電性嵌め込み部材（２）を備えた、レーダー方式にしたがって動作する充填レベル測定装置のためのアンテナにおいて、
誘電性嵌め込み部材（２）を解離可能に固定する固定装置がアンテナ内に設けられている
ことを特徴とする充填レベル測定装置のためのアンテナ。
【請求項２】
アンテナとして金属のアンテナが設けられている、請求項１記載のアンテナ。
【請求項３】
アンテナとしてホーンアンテナ（１）が設けられている、請求項１または２記載のアンテナ。
【請求項４】
誘電性嵌め込み部材（２）はアンテナの内室を完全に充填している、請求項１から３までのいずれか１項記載のアンテナ。
【請求項５】
固定装置として誘電性嵌め込み部材（２）をアンテナ内でクランプする突起状クランプ（３）が設けられている、請求項１から４までのいずれか１項記載のアンテナ。
【請求項６】
突起状クランプ（３）を把持するクランプ用切欠（４）が設けられている、請求項５記載のアンテナ。
【請求項７】
突起状クランプ（３）と誘電性嵌め込み部材（２）とは一体に成型されている、請求項５または６記載のアンテナ。
【請求項８】
突起状クランプ（３）は誘電性嵌め込み部材（２）の外周全体にわたって延在している、請求項５から７までのいずれか１項記載のアンテナ。
【請求項９】
突起状クランプ（３）としてアンテナの内壁（１３）と誘電性嵌め込み部材（２）の外壁（１１）とのあいだにＯ状リング（６）が配置されている、請求項５または６記載のアンテナ。
【請求項１０】
固定装置として誘電性嵌め込み部材（２）の外壁（１１）とアンテナの内壁（１０）との間にねじが設けられている、請求項１から４までのいずれか１項記載のアンテナ。
【請求項１１】
固定装置としてアンテナの内壁（１０）にねじ込まれるねじ状クランプ（９）が設けられており、該ねじ状クランプが誘電性嵌め込み部材（２）の外壁を押圧する、請求項１から４までのいずれか１項記載のアンテナ。
【請求項１２】
固定装置としてアンテナの内壁（１０）にばね装置（１２）が設けられており、該ばね装置が誘電性嵌め込み部材（２）の外壁を押圧する、請求項１から４までのいずれか１項記載のアンテナ。
【発明の詳細な説明】
【技術分野】
【０００１】
本発明は、誘電性嵌め込み部材を備えた、レーダー方式にしたがって動作する充填レベル測定装置のためのアンテナに関する。
【背景技術】
【０００２】
レーダー機器用ホーンアンテナのアンテナ中空室は、独国公開第１００５７４４１号明細書から公知のように、少なくとも部分的に誘電性嵌め込み部材によって充填されている。レーダー方式の充填レベル測定装置は液体およびばら積荷のレベル測定に用いられる。これはアンテナを介してマイクロ波を放射し、検出すべき媒体の表面での反射を検出することにより行われる。例えば伝搬時間測定により媒体の充填レベルが推論される。
【０００３】
前掲の明細書に紹介されているように、レーダー方式にしたがって動作する充填レベル測定装置のためのアンテナに誘電性嵌め込み部材を設けるケースには種々のものが存在する。例えば、誘電性嵌め込み部材はアンテナの内室へ注入成型される。また、アンテナ内の誘電性嵌め込み部材を焼き込みプロセスまたはシンタリングプロセスによって固定してもよい。さらに、独国公開第１９６１７９６３号明細書では、誘電性嵌め込み部材の外側を導電層によってカバーすることが提案されている。
【０００４】
ただし、実際上は、誘電特性ひいては放射特性に影響するため、このような接合には問題がある。固定のしかたによっては特定の誘電性材料しか用いることができなくなることもある。
【特許文献１】独国公開第１００５７４４１号明細書
【特許文献２】独国公開第１９６１７９６３号明細書
【発明の開示】
【発明が解決しようとする課題】
【０００５】
前述した問題点を基礎として、本発明は、アンテナの誘電性嵌め込み部材に対する簡単かつ汎用的な固定手段を提供することを課題とする。
【課題を解決するための手段】
【０００６】
この課題は、冒頭に言及した形式のアンテナにおいて、誘電性嵌め込み部材を解離可能に固定する固定装置がアンテナ内に設けられている構成により解決される。
【発明を実施するための最良の形態】
【０００７】
本発明はアンテナと誘電性嵌め込み部材とを持続的に接合する方式を採らない。本発明では、誘電性嵌め込み部材をアンテナに固定する固定装置を介した解離可能な固定が行われる。
【０００８】
基本的には本発明は誘電体アンテナにも適用可能である。しかし、本発明の有利な実施形態によれば、アンテナとして金属アンテナが用いられる。また、本発明は種々の形状のアンテナに適用可能であるが、有利な実施形態によれば、アンテナとしてホーンアンテナが設けられる。
【０００９】
基本的には、誘電性嵌め込み部材はアンテナの内室を部分的に充填するものであってよい。ただし、本発明の有利な実施形態によれば、誘電性嵌め込み部材はアンテナの内室を完全に充填する。
【００１０】
解離可能な固定を行う固定装置として、機能的にも形状的にも異なる構成の装置を設けることができる。本発明の有利な実施形態によれば、固定装置は誘電性嵌め込み部材をアンテナ内でクランプする突起状クランプとして形成されている。有利には、突起状クランプと誘電性嵌め込み部材とは一体に成型されており、特にこれらは同じ材料から成っている。
【００１１】
基本的には、突起状クランプは誘電性嵌め込み部材の外周の一部のみに存在するものであってよい。しかし、本発明の有利な実施形態によれば、突起状クランプは誘電性嵌め込み部材の外周全体にわたって延在している。有利には、突起状クランプはクランプ用切欠によって把持される。
【００１２】
また、本発明の有利な実施形態によれば、突起状クランプとしてアンテナの内壁と誘電性嵌め込み部材の外壁とのあいだにＯ状リングが配置される。有利には、アンテナの内壁および誘電性嵌め込み部材の外壁の双方にＯ状リングを把持する切欠が設けられる。有利にはこの切欠は外周全体に延在する溝として形成される。
【００１３】
また、本発明の有利な実施形態によれば、固定装置として誘電性嵌め込み部材の外壁とアンテナの内壁とのあいだにねじを設けることもできる。一般にこうしたねじは誘電性嵌め込み部材の円筒状部分に配置され、誘電性嵌め込み部材がアンテナの中空導体（Hohlleiter）にはめ込まれている状態でアンテナの電磁信号を伝送することができる。
【００１４】
さらに、本発明の有利な実施形態によれば、固定装置としてアンテナの内壁にねじ込まれるねじ状クランプが設けられ、このねじ状クランプが誘電性嵌め込み部材の外壁を押圧する。有利にはこのねじ状クランプにはアンテナの外側からアクセス可能であり、良好な操作性が保証される。有利には、複数のねじ状クランプがアンテナの内周に均等に配置される。
【００１５】
さらに、本発明の有利な実施形態によれば、固定装置としてアンテナの内壁にばね装置が設けられ、このばね装置が誘電性嵌め込み部材の外壁を押圧する。有利には、前述したねじ状クランプと同様に、有利には、複数のばね装置がアンテナの内周に均等に配置される。
【実施例】
【００１６】
本発明の有利な実施例を図示し、以下に詳細に説明する。
【００１７】
図１にはレーダー方式にしたがって動作する充填レベル測定装置のためのアンテナの縦断面図が示されている。アンテナはホーンアンテナ１であり、内部にＰＴＦＥから成る誘電性嵌め込み部材２が嵌め込まれている。誘電性嵌め込み部材２はホーンアンテナ１に解離可能に固定されるが、そのために、第１の有利な実施例では、誘電性嵌め込み部材２に固定装置として全周にわたって突起状クランプ３が設けられている。この突起状クランプ３は誘電性嵌め込み部材２の外壁に一体に成型されており、同様にＰＴＦＥから成っている。ホーンアンテナ１の内壁に突起状クランプ３に相応する形状でこれを把持するクランプ用切欠４が設けられている。
【００１８】
金属、例えば貴金属から成るホーンアンテナ１にＰＴＦＥから成る誘電性嵌め込み部材２が嵌め込まれている場合、ＰＴＦＥ材料に基づく弾性および可塑性により、誘電性嵌め込み部材２に容易に力をかけてホーンアンテナ１の内室へ押し込むことができる。誘電性嵌め込み部材２をホーンアンテナ１から取り外すには、例えば、ホーンアンテナ１の中空導体５の側に設けられた適切なスタブを用いる。中空導体５ではマイクロ波信号の供給のために当該のスタブの位置でホーンアンテナ１に誘電性嵌め込み部材２が接する。
【００１９】
図２には本発明の第２の実施例のアンテナが示されている。ここでは突起状クランプとして全周にわたってＯ状リング６が設けられている。Ｏ状リング６は例えばフッ化物エラストマーから成り、ホーンアンテナ１側および誘電性嵌め込み部材２側の双方に全周にわたって設けられている相応の溝７，８によって把持される。誘電性嵌め込み部材２の固定および取り外しは前述した第１の実施例に相応に行われる。
【００２０】
図３には本発明の第３の実施例のアンテナが示されている。ここでは誘電性嵌め込み部材２はねじ状クランプ９を介してホーンアンテナ１に保持されている。この横断面図からわかるように、ねじ状クランプ９はホーンアンテナ１の壁１０を通してねじ込まれており、挟みつける力が誘電性嵌め込み部材２の外壁１１に作用する。このようにすればねじ状クランプ９に外部から簡単にアクセスして操作することができる。
【００２１】
図４には本発明の第４の実施例のアンテナが示されている。ここでは誘電性嵌め込み部材２をホーンアンテナ１に解離可能に固定する固定装置としてばね装置１２が設けられている。このばね装置はホーンアンテナ１の内壁１３に設けられている。この内壁１３には、ばね装置１２のばねエレメント１５および球状クランプ１６を完全に収容する切欠１４が形成されている。こうして誘電性嵌め込み部材２を僅かな力でホーンアンテナ１へ押し込むことができる。ホーンアンテナ１への誘電性嵌め込み部材１の固定は球状クランプ１６を誘電性嵌め込み部材２の外壁１１の相応のカロット状の切欠１７に係止することにより行われる。このようにして特にあらかじめ定められた配向で誘電性嵌め込み部材２がホーンアンテナ１へ固定されることが保証される。
【図面の簡単な説明】
【００２２】
【図１】本発明の充填レベル測定装置のためのアンテナの第１の実施例の縦断面図である。
【図２】本発明の充填レベル測定装置のためのアンテナの第２の実施例の縦断面図である。
【図３】本発明の充填レベル測定装置のためのアンテナの第３の実施例の横断面図である。
【図４】本発明の充填レベル測定装置のためのアンテナの第４の実施例の横断面図である。
【符号の説明】
【００２３】
１  ホーンアンテナ、  ２  誘電性嵌め込み部材、  ３  突起状クランプ、  ４  クランプ用切欠、  ５  中空導体、  ６  Ｏ状リング、  ７，８  溝、  ９  ねじ状クランプ、  １０  壁、  １１  外壁、  １２  ばね装置、  １３  内壁、  １４，１７  切欠、  １５  ばね部材、  １６  球状クランプ
【図１】
2008211791.tif 000003
【図２】
2008211791.tif 000004
【図３】
2008211791.tif 000005
【図４】
2008211791.tif 000006